(57)【要約】【課題】画像の表示順序をこれまでより効率的に変更する。【解決手段】画像の表示順序を設定する撮像装置を提供する。撮像装置は、撮像する画像を日時順に表示するか否かを選択する選択部と、画像を撮像する撮像部と、日時順に表示することを選択して撮像された画像を日時順画像として記録し、日時順に表示しないことを選択して撮像された画像を非日時順画像として記録する画像記録部と、画像記録部に記録された複数の日時順画像を日時順に表示する画像表示部と、使用者の指示に基づいて、画像表示部に表示された日時順画像に関連付けて非日時順画像を表示させるべく、画像記録部に記録した画像の表示順序を変更する順序変更部とを備える。【選択図】図２
2006333374.tif 000002
【特許請求の範囲】
【請求項１】
撮像する画像を日時順に表示するか否かを選択する選択部と、
画像を撮像する撮像部と、
日時順に表示することを選択して撮像された前記画像を日時順画像として記録し、日時順に表示しないことを選択して撮像された前記画像を非日時順画像として記録する画像記録部と、
前記画像記録部に記録された複数の前記日時順画像を日時順に表示する画像表示部と、
使用者の指示に基づいて、前記画像表示部に表示された前記日時順画像に関連付けて前記非日時順画像を表示させるべく、前記画像記録部に記録した前記画像の表示順序を変更する順序変更部と
を備える撮像装置。
【請求項２】
前記順序変更部は、使用者により選択された前記非日時順画像を、前記画像表示部に表示された前記日時順画像の前または後に表示させるべく、前記表示順序を変更する請求項１に記載の撮像装置。
【請求項３】
前記順序変更部は、使用者により選択された前記非日時順画像を、前記画像表示部に表示された前記日時順画像の少なくとも一部に重ねて表示させるべく、前記画像記録部に記録した前記画像の前記表示順序および表示方法を変更する請求項１に記載の撮像装置。
【請求項４】
前記順序変更部は、
乱数を生成する乱数生成部と、
前記非日時順画像を関連付ける前記日時順画像を前記乱数に基づいて選択する日時順画像選択部と、
前記日時順画像選択部により選択された前記日時順画像に関連付けて前記非日時順画像を表示させるべく前記表示順序を変更する関連付け部と
を有する請求項１に記載の撮像装置。
【請求項５】
前記画像表示部は、第１の表示領域に前記日時順画像を表示し、第２の表示領域に前記非日時順画像を表示し、
前記順序変更部は、前記第２の表示領域において使用者により選択された一の前記非日時順画像を、前記第１の表示領域において使用者により選択された一の前記日時順画像の前または後に表示させるように前記表示順序を変更する
請求項１に記載の撮像装置。
【請求項６】
前記順序変更部は、
前記日時順画像に関連付けて表示させる前記非日時順画像を、当該日時順画像の撮像時刻を基準として予め定められた長さの期間内に撮像された前記非日時順画像の中から選択する非日時順画像選択部と、
前記非日時順画像選択部により選択された前記非日時順画像を、前記日時順画像に関連付けて表示させるべく前記表示順序を変更する関連付け部と
を有する請求項１に記載の撮像装置。
【請求項７】
前記複数の日時順画像を外部の表示装置に表示させる前記表示順序を、前記複数の日時順画像のそれぞれとは別個のファイルであるアルバム情報ファイルに記録するアルバム情報ファイル記録部を更に備え、
前記順序変更部は、前記画像表示部に表示された前記日時順画像に関連付けて前記非日時順画像を表示させることを指示する情報を前記アルバム情報ファイルに記録することにより、前記表示順序を変更する
請求項１に記載の撮像装置。
【請求項８】
撮像する画像を日時順に表示するか否かを選択する選択段階と、
画像を撮像する撮像段階と、
日時順に表示することを選択して撮像された前記画像を日時順画像として記録し、日時順に表示しないことを選択して撮像された前記画像を非日時順画像として記録する画像記録段階と、
前記画像記録段階において記録された複数の前記日時順画像を日時順に表示する画像表示段階と、
使用者の指示に基づいて、前記画像表示段階において表示された前記日時順画像に関連付けて前記非日時順画像を表示させるべく、前記画像記録段階において記録した前記画像の表示順序を変更する順序変更段階と
を備える撮像方法。
【請求項９】
撮像装置を制御するプログラムであって、
前記撮像装置を、
撮像する画像を日時順に表示するか否かを選択する選択部と、
画像を撮像する撮像部と、
日時順に表示することを選択して撮像された前記画像を日時順画像として記録し、日時順に表示しないことを選択して撮像された前記画像を非日時順画像として記録する画像記録部と、
前記画像記録部に記録された複数の前記日時順画像を日時順に表示する画像表示部と、
使用者の指示に基づいて、前記画像表示部に表示された前記日時順画像に関連付けて前記非日時順画像を表示させるべく、前記画像記録部に記録した前記画像の表示順序を変更する順序変更部と
して機能させるプログラム。
【請求項１０】
日時順に表示することを選択して撮像された画像を日時順画像として取得する日時順画像取得部と、
日時順に表示しないことを選択して撮像された前記画像を非日時順画像として取得する非日時順画像取得部と、
前記日時順画像取得部により取得された複数の前記日時順画像を第１の表示領域に日時順に表示し、前記非日時順画像取得部により取得された前記非日時順画像を第２の表示領域に表示する画像表示部と、
使用者の指示に基づいて、前記第２の表示領域において使用者により選択された一の前記非日時順画像を、前記第１の表示領域において使用者により選択された一の前記日時順画像の前または後に表示させるように前記複数の日時順画像および選択された前記非日時順画像の表示順序を変更する順序変更部と
を備える画像再生装置。
【請求項１１】
撮像された複数の画像のそれぞれについて、当該画像をアルバムの見開きページに配列する配置および大きさを指定する画像枠を有するアルバムテンプレートを格納するテンプレート格納部と、
前記複数の日時順画像および選択された前記非日時順画像を、前記表示順序に応じた順序で前記アルバムテンプレートの画像枠に配列してアルバムの見開きページを生成する見開きページ生成部と、
前記見開きページ生成部により生成された前記見開きページを印刷する印刷部と
を更に備え、
前記順序変更部は、
前記複数の日時順画像を前記アルバムテンプレートが有する複数の前記画像枠に日時順に配列し、
前記非日時順画像を挿入する前記画像枠を、当該画像枠の配置および大きさの少なくとも１つに基づいて決定する
請求項１０に記載の画像再生装置。
【請求項１２】
日時順に表示することを選択して撮像された画像を日時順画像として取得する日時順画像取得段階と、
日時順に表示しないことを選択して撮像された前記画像を非日時順画像として取得する非日時順画像取得段階と、
前記日時順画像取得段階において取得された複数の前記日時順画像を第１の表示領域に日時順に表示し、前記非日時順画像取得段階において取得された前記非日時順画像を第２の表示領域に表示する画像表示段階と、
使用者の指示に基づいて、前記第２の表示領域において使用者により選択された一の前記非日時順画像を、前記第１の表示領域において使用者により選択された一の前記日時順画像の前または後に表示させるように前記複数の日時順画像および選択された前記非日時順画像の表示順序を変更する順序変更段階と
を備える画像再生方法。
【請求項１３】
画像再生装置を制御するプログラムであって、
前記画像再生装置を、
日時順に表示することを選択して撮像された画像を日時順画像として取得する日時順画像取得部と、
日時順に表示しないことを選択して撮像された前記画像を非日時順画像として取得する非日時順画像取得部と、
前記日時順画像取得部により取得された複数の前記日時順画像を第１の表示領域に日時順に表示し、前記非日時順画像取得部により取得された前記非日時順画像を第２の表示領域に表示する画像表示部と、
使用者の指示に基づいて、前記第２の表示領域において使用者により選択された一の前記非日時順画像を、前記第１の表示領域において使用者により選択された一の前記日時順画像の前または後に表示させるように前記複数の日時順画像および選択された前記非日時順画像の表示順序を変更する順序変更部と
して機能させるプログラム。
【発明の詳細な説明】
【技術分野】
【０００１】
本発明は、撮像装置、画像再生装置、制御方法、およびプログラムに関する。特に、本発明は、撮像した複数の画像を表示する表示順序を設定する撮像装置、画像再生装置、制御方法、およびプログラムに関する。
【背景技術】
【０００２】
近年、デジタルカメラと大容量の記録媒体とが比較的安価に入手できるため、営業目的のみならず個人的な利用においても大量の画像を撮像・管理することが一般的になってきている。大量の画像を効率的に管理するために、従来、画像をグループに分類したり、画像を閲覧し易い順序に並べ替えたり、画像に対してトリミングや回転等の処理を行って画像自体を変換して記録媒体に記録することが行われている。
【０００３】
参考技術として、従来、画像をデジタルアルバムに収納する作業を効率化する目的で、デジタルアルバムが開かれているときに入力した画像はそのデジタルアルバムに収納し、デジタルアルバムが開かれていないときに入力した画像は新たなデジタルアルバムに収納する技術が提案されている（特許文献１参照。）。この技術によれば、画像を収納すべきデジタルアルバムを選択する作業を簡略化して、利用者の手間を省くことができる。
【特許文献１】特開２０００−８２１２８号公報
【発明の開示】
【発明が解決しようとする課題】
【０００４】
従来のデジタルカメラでは、撮像された日時の順序で画像が記録される。そして、画像の表示装置は、それらの画像を撮像された順序で表示する場合が多い。利用者は、撮像された画像の表示順序を変更したい場合には、例えば、記録媒体上の記録順序を変更したり、デジタルアルバム用のソフトウェアを用いて画像の表示順序を並べ替える必要がある。しかしながら、撮像された日時の順は、使用者が所望する表示順序と概ね一致していることが多く、表示順序を並べ替えたい画像はその中の一部である場合が多い。このため、大量の画像を撮像した場合には、それらの画像の中から並べ替えるべき画像を探し出すのが困難な場合があった。
【０００５】
一方で、画像を撮像日時順に表示させるべきか、または、画像を非日時順に並べるべきかは、画像の撮像時の状況によって定まる場合が多い。このため、撮像後に編集装置等を用いて画像を並べ替える場合には、撮像時の状況を思い出した上で編集作業を行う必要がある。従って、撮像からある程度以上の時間が経過してしまうと、撮像時の状況を忘れてしまい、編集作業が困難となる場合があった。なお、上記の参考技術によっては、画像を所定の規則で分類することはできるものの、その表示順序を効率的に変更することはできない。
【０００６】
そこで本発明は、上記の課題を解決することのできる撮像装置、画像再生装置、制御方法、およびプログラムを提供することを目的とする。この目的は特許請求の範囲における独立項に記載の特徴の組み合わせにより達成される。また従属項は本発明の更なる有利な具体例を規定する。
【課題を解決するための手段】
【０００７】
上記課題を解決するために、本発明の第１の形態においては、撮像する画像を日時順に表示するか否かを選択する選択部と、画像を撮像する撮像部と、日時順に表示することを選択して撮像された画像を日時順画像として記録し、日時順に表示しないことを選択して撮像された画像を非日時順画像として記録する画像記録部と、画像記録部に記録された複数の日時順画像を日時順に表示する画像表示部と、使用者の指示に基づいて、画像表示部に表示された日時順画像に関連付けて非日時順画像を表示させるべく、画像記録部に記録した画像の表示順序を変更する順序変更部とを備える撮像装置。
【０００８】
また、順序変更部は、使用者により選択された非日時順画像を、画像表示部に表示された日時順画像の前または後に表示させるべく、表示順序を変更してもよい。
また、順序変更部は、使用者により選択された非日時順画像を、画像表示部に表示された日時順画像の少なくとも一部に重ねて表示させるべく、画像記録部に記録した画像の表示順序および表示方法を変更してもよい。
また、順序変更部は、乱数を生成する乱数生成部と、非日時順画像を関連付ける日時順画像を乱数に基づいて選択する日時順画像選択部と、日時順画像選択部により選択された日時順画像に関連付けて非日時順画像を表示させるべく表示順序を変更する関連付け部とを有してもよい。
【０００９】
また、画像表示部は、第１の表示領域に日時順画像を表示し、第２の表示領域に非日時順画像を表示し、順序変更部は、第２の表示領域において使用者により選択された一の非日時順画像を、第１の表示領域において使用者により選択された一の日時順画像の前または後に表示させるように表示順序を変更してもよい。
また、順序変更部は、日時順画像に関連付けて表示させる非日時順画像を、当該日時順画像の撮像時刻を基準として予め定められた長さの期間内に撮像された非日時順画像の中から選択する非日時順画像選択部と、非日時順画像選択部により選択された非日時順画像を、日時順画像に関連付けて表示させるべく表示順序を変更する関連付け部とを有してもよい。
【００１０】
また、複数の日時順画像を外部の表示装置に表示させる表示順序を、複数の日時順画像のそれぞれとは別個のファイルであるアルバム情報ファイルに記録するアルバム情報ファイル記録部を更に備え、順序変更部は、画像表示部に表示された日時順画像に関連付けて非日時順画像を表示させることを指示する情報をアルバム情報ファイルに記録することにより、表示順序を変更してもよい。
【００１１】
本発明の第２の形態においては、撮像する画像を日時順に表示するか否かを選択する選択段階と、画像を撮像する撮像段階と、日時順に表示することを選択して撮像された画像を日時順画像として記録し、日時順に表示しないことを選択して撮像された画像を非日時順画像として記録する画像記録段階と、画像記録段階において記録された複数の日時順画像を日時順に表示する画像表示段階と、使用者の指示に基づいて、画像表示段階において表示された日時順画像に関連付けて非日時順画像を表示させるべく、画像記録段階において記録した画像の表示順序を変更する順序変更段階とを備える撮像方法を提供する。
【００１２】
本発明の第３の形態においては、撮像装置を制御するプログラムであって、撮像装置を、撮像する画像を日時順に表示するか否かを選択する選択部と、画像を撮像する撮像部と、日時順に表示することを選択して撮像された画像を日時順画像として記録し、日時順に表示しないことを選択して撮像された画像を非日時順画像として記録する画像記録部と、画像記録部に記録された複数の日時順画像を日時順に表示する画像表示部と、使用者の指示に基づいて、画像表示部に表示された日時順画像に関連付けて非日時順画像を表示させるべく、画像記録部に記録した画像の表示順序を変更する順序変更部として機能させるプログラムを提供する。
【００１３】
本発明の第４の形態においては、日時順に表示することを選択して撮像された画像を日時順画像として取得する日時順画像取得部と、日時順に表示しないことを選択して撮像された画像を非日時順画像として取得する非日時順画像取得部と、日時順画像取得部により取得された複数の日時順画像を第１の表示領域に日時順に表示し、非日時順画像取得部により取得された非日時順画像を第２の表示領域に表示する画像表示部と、使用者の指示に基づいて、第２の表示領域において使用者により選択された一の非日時順画像を、第１の表示領域において使用者により選択された一の日時順画像の前または後に表示させるように複数の日時順画像および選択された非日時順画像の表示順序を変更する順序変更部とを備える画像再生装置を提供する。
【００１４】
また、撮像された複数の画像のそれぞれについて、当該画像をアルバムの見開きページに配列する配置および大きさを指定する画像枠を有するアルバムテンプレートを格納するテンプレート格納部と、複数の日時順画像および選択された非日時順画像を、表示順序に応じた順序でアルバムテンプレートの画像枠に配列してアルバムの見開きページを生成する見開きページ生成部と、見開きページ生成部により生成された見開きページを印刷する印刷部とを更に備え、順序変更部は、複数の日時順画像をアルバムテンプレートが有する複数の画像枠に日時順に配列し、非日時順画像を挿入する画像枠を、当該画像枠の配置および大きさの少なくとも１つに基づいて決定してもよい。
【００１５】
また、日時順に表示することを選択して撮像された画像を日時順画像として取得する日時順画像取得段階と、日時順に表示しないことを選択して撮像された画像を非日時順画像として取得する非日時順画像取得段階と、日時順画像取得段階において取得された複数の日時順画像を第１の表示領域に日時順に表示し、非日時順画像取得段階において取得された非日時順画像を第２の表示領域に表示する画像表示段階と、使用者の指示に基づいて、第２の表示領域において使用者により選択された一の非日時順画像を、第１の表示領域において使用者により選択された一の日時順画像の前または後に表示させるように複数の日時順画像および選択された非日時順画像の表示順序を変更する順序変更段階とを備えてもよい。
【００１６】
本発明の第５の形態においては、画像再生装置を制御するプログラムであって、画像再生装置を、日時順に表示することを選択して撮像された画像を日時順画像として取得する日時順画像取得部と、日時順に表示しないことを選択して撮像された画像を非日時順画像として取得する非日時順画像取得部と、日時順画像取得部により取得された複数の日時順画像を第１の表示領域に日時順に表示し、非日時順画像取得部により取得された非日時順画像を第２の表示領域に表示する画像表示部と、使用者の指示に基づいて、第２の表示領域において使用者により選択された一の非日時順画像を、第１の表示領域において使用者により選択された一の日時順画像の前または後に表示させるように複数の日時順画像および選択された非日時順画像の表示順序を変更する順序変更部として機能させるプログラムを提供する。
なお、上記の発明の概要は、本発明の必要な特徴の全てを列挙したものではなく、これらの特徴群のサブコンビネーションもまた、発明となりうる。
【発明の効果】
【００１７】
本発明によれば、画像の表示順序をこれまでより効率的に変更することができる。
【発明を実施するための最良の形態】
【００１８】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１９】
図１は、画像管理システム１０の全体構成を示す。画像管理システム１０は、撮像装置２０と、記録媒体２５と、画像再生装置３０とを備える。撮像装置２０は、例えばデジタルカメラ等であって、被写体を撮像した画像を記録媒体２５に記録する。また、撮像装置２０は、搭載されたディスプレイ装置によって、撮像装置２０の使用者である撮像者に対して、撮像した画像を表示する。また、撮像者の操作に基づいて、撮像装置２０は、撮像した画像の表示順序を変更する。本実施例に係る撮像装置２０によれば、これから撮像しようとする画像を、画像を撮像日時順に記録するか、または、画像を非撮像日時順に記録するかを、撮像者の指示によって予め選択することができる。これにより、撮像後に画像の表示順序を変更する作業負担を軽減すると共に、編集の効率を向上することを目的とする。
【００２０】
また、画像再生装置３０は、例えばノートブック型のパーソナルコンピュータ等であって、日時順画像および非日時順画像を記録媒体２５から読み出し、これらの画像に基づいてデジタルアルバムを作成する。本実施例に係る画像再生装置３０は、日時順画像および非日時順画像を区別して取得することで、デジタルアルバムに挿入する画像を選択する作業負担を軽減すると共に、編集の効率を向上することを目的とする。
【００２１】
なお、撮像装置２０および画像再生装置３０の各々は、記録媒体２５等の記録媒体からプログラムを読み出して実行することにより、撮像装置２０および画像再生装置３０として機能してもよい。記録媒体は、記録媒体２５として図示したメモリカードのみならず、ＣＤ−ＲＯＭやＤＶＤ−ＲＯＭ等の光学メディアであってもよいし、ハードディスクドライブ等の磁気記録メディアであってもよい。
【００２２】
また、以降の実施形態においては、説明の便宜上、撮像装置２０および画像再生装置３０のそれぞれを別個に設けられた装置として説明するが、これらの一方が他方の機能の少なくとも一部を更に有してもよい。また、記録媒体２５を、撮像装置２０または画像再生装置３０と着脱可能に設けられた記録媒体として説明するが、記録媒体２５は、撮像装置２０または画像再生装置３０に内蔵されていてもよい。
【００２３】
図２は、撮像装置２０の機能を機能ブロックに分類して示す。撮像装置２０は、選択部２００と、撮像部２１０と、画像記録部２２０と、画像表示部２３０と、順序変更部２４０と、アルバム情報ファイル記録部２５０とを有する。選択部２００は、撮像者の操作に基づいて、撮像する画像を日時順に表示するか否かを選択する。撮像部２１０は、被写体の画像を撮像する。画像記録部２２０は、日時順に表示することを選択して撮像された画像を日時順画像として記録し、日時順に表示しないことを選択して撮像された画像を非日時順画像として記録する。
【００２４】
画像表示部２３０は、画像記録部２２０に記録された複数の日時順画像を日時順に表示する。更に、画像表示部２３０は、非日時順画像を日時順ではない所定の順序で表示してもよい。順序変更部２４０は、撮像者の指示に基づいて、画像表示部２３０により表示された日時順画像に関連付けて非日時順画像を表示させるべく、画像記録部２２０に記録した画像の表示順序を変更する。アルバム情報ファイル記録部２５０は、撮像者の指定に基づいて、複数の日時順画像を外部の表示装置に表示させる表示順序を、複数の日時順画像のそれぞれとは別個のファイルであるアルバム情報ファイルに記録してもよい。この場合、順序変更部２４０は、画像表示部２３０に表示された日時順画像に関連付けて非日時順画像を表示させることを指示する情報を、更にこのアルバム情報ファイルに記録する。このアルバム情報ファイルは、記録媒体２５に記録されて外部の表示装置によって読み取られてもよい。更に、アルバム情報ファイル記録部２５０は、日時順画像のみならず非日時順画像を更に記録媒体２５に記録してもよい。
【００２５】
図３は、順序変更部２４０の機能を機能ブロックに分類して示す。順序変更部２４０は、乱数生成部３００と、日時順画像選択部３１０と、非日時順画像選択部３２０と、関連付け部３３０とを有する。乱数生成部３００は、乱数を生成する。日時順画像選択部３１０は、各々の非日時順画像について、当該非日時順画像を関連付ける日時順画像を撮像者から受けた指示に基づいて選択する。これに代えて、日時順画像選択部３１０は、各々の非日時順画像について、当該非日時順画像を関連付ける日時順画像を乱数に基づいて選択してもよい。関連付け部３３０は、日時順画像選択部３１０により選択された日時順画像に関連付けて非日時順画像を表示させるべく表示順序を変更する。これを受けて、例えば画像表示部２３０は、互いに関連付けられた日時順画像および非日時順画像を重ね合わせて同時に表示してもよい。
【００２６】
ここで、日時順画像とは、例えば、行事の進行に伴って人物や風景を順次撮像したスナップ写真等の画像である。一方で、非日時順画像とは、これらスナップ写真の背景を装飾するために適した模様または文字等の画像である。この例の場合、スナップ写真の背景に装飾を施すことができるので、表示される画像の変化を持たせて閲覧者を楽しませることができる。
【００２７】
また、非日時順画像選択部３２０は、日時順画像に関連付けて表示される非日時順画像を、日時順画像の撮像時刻を基準として予め定められた長さの期間内に撮像された非日時順画像の中から選択してもよい。この場合、関連付け部３３０は、非日時順画像選択部３２０により選択された非日時順画像を、日時順画像に関連付けて表示させるべく表示順序を変更する。これを受けて、例えば画像表示部２３０は、互いに関連付けられた日時順画像および非日時順画像を並べて同時に表示してもよい。これにより、撮像前後の時刻における撮像場所の状況を、画像の閲覧者に対して詳しく伝えることができる。
【００２８】
図４は、画像表示部２３０に表示される、撮像者が画像の表示順序を編集している編集画面の例を示す。画像表示部２３０は、第１の表示領域である日時順画像表示領域に、日時順画像を日時順に並べて表示する。これらの画像を図中ではＡ〜Ｄの文字を付して示す。また、画像表示部２３０は、第２の表示領域である非日時順画像表示領域に、非日時順画像を並べて表示する。これらの画像を図中ではＥ〜Ｊの文字を付して示す。
【００２９】
本図において複数の画像間を結ぶ実線は、それらの画像が互いに関連付けられていることを示す。例えば、画像Ａおよび画像Ｅは、関連付け部３３０によって互いに関連付けられている。この関連付けは、使用者の設定等によって異なる意味を有していてもよい。即ち例えば、順序変更部２４０は、非日時順画像表示領域において使用者により選択された一の非日時順画像を、日時順画像表示領域において使用者により選択された一の日時順画像の前または後に表示させるように表示順序を変更してもよい。具体的には本図の例の場合、この関連付けによって、画像Ｅが画像Ａの後かつ画像Ｂの前に表示される。
【００３０】
他の例として、画像表示部２３０は、互いに関連付けられた日時順画像および非日時順画像の一方を、他方の少なくとも一部に重ねて表示してもよい。即ち関連付けの処理を受けて、順序変更部２４０は、使用者により選択された非日時順画像を、画像表示部２３０に表示された日時順画像の少なくとも一部に重ねて表示させるべく、画像記録部２２０に記録した画像の表示順序および表示方法を変更してもよい。例えばこれによって、画像表示部２３０は、日時順画像を画面上に表示した上で、当該画像の表示を保持した状態のまま、その画面の表示に上書きして小さいサイズの非日時順画像を描画してもよい。
【００３１】
また、本図の点線で結ばれた複数の画像は、所定の時間内に撮影された画像のグループを示している。具体的には、画像Ｅ、画像Ｇおよび画像Ｈの各々は、日時順画像である画像Ｂの撮像時刻を基準として予め定められた長さの期間内に撮像された非日時順画像である。好ましくは、画像表示部２３０は、利用者が画像Ｂを指定したことに応答して、画像Ｅ、画像Ｇおよび画像Ｈを、画像Ｂに関連付けることのできる画像として利用者によって選択可能に表示する。これによって、日時順画像を、撮像時刻が近い非日時順画像に関連付け易くすることができる。
【００３２】
図５は、画像再生装置３０の機能を機能ブロックに分類して示す。画像再生装置３０は、日時順画像取得部５００と、非日時順画像取得部５１０と、画像記録部５２０と、画像表示部５３０と、順序変更部５４０と、テンプレート格納部５５０と、見開きページ生成部５６０と、印刷部５７０とを有する。日時順画像取得部５００は、日時順に表示することを選択して撮像された画像を日時順画像として取得する。非日時順画像取得部５１０は、日時順に表示しないことを選択して撮像された画像を非日時順画像として取得する。画像記録部５２０は、取得されたこれらの画像を記録する。画像表示部５３０は、日時順画像取得部５００により取得された複数の日時順画像を第１の表示領域に表示し、非日時順画像取得部５１０により取得された非日時順画像を第２の表示領域に表示する。
【００３３】
順序変更部５４０は、使用者の指示に基づいて、日時順画像および非日時順画像の表示順序を定めて画像記録部５２０に記録する。具体的には、順序変更部５４０は、第２の表示領域において使用者により選択された一の非日時順画像を、第１の表示領域において使用者により選択された一の日時順画像の前または後に表示させるようにこれらの画像の表示順序を変更する。更に、順序変更部５４０は、複数の日時順画像を、後述するアルバムテンプレートが有する複数の画像枠に日時順に配列してもよい。また、順序変更部５４０は、非日時順画像を挿入する画像枠を、その画像枠の配置および大きさの少なくとも１つに基づいて決定してもよい。
【００３４】
テンプレート格納部５５０は、撮像された複数の画像のそれぞれについて、その画像をアルバムの見開きページに配列する配置および大きさを指定する画像枠を有するアルバムテンプレートを格納する。画像表示部５３０は、アルバムテンプレートに含まれるこれらの画像枠に日時順画像を仮配置して表示してもよい。そして、見開きページ生成部５６０は、使用者から受けた操作に応答して、複数の日時順画像および選択された非日時順画像を、順序変更部５４０により指定された表示順序に応じた順序でアルバムテンプレートの画像枠に配列してアルバムの見開きページを生成する。印刷部５７０は、見開きページ生成部５６０により生成された見開きページを印刷する。
【００３５】
図６は、画像記録部５２０のデータ構造の一例を示す。（ａ）は、日時順画像取得部５００によって取得された複数の日時順画像を示す。画像記録部５２０は、各々の日時順画像について、当該日時順画像の画像ＩＤと、当該日時順画像を記録したファイルのファイル名と、当該日時順画像の撮像日時とを対応付けて記録している。例えば、画像ＩＤが１００１の日時順画像は、ＸＸ１．ｊｐｇというファイル名のファイルに記録されており、６月７日の１６：３５に撮像されている。その他の日時順画像についても同様であるので説明を省略する。なお、これらの日時順画像はその撮像日時順に記録されている。
【００３６】
（ｂ）は、非日時順画像取得部５１０によって取得された複数の非日時順画像を示す。画像記録部５２０は、各々の非日時順画像について、当該非日時順画像の画像ＩＤと、当該非日時順画像を記録したファイルのファイル名と、当該非日時順画像の撮像日時とを対応付けて記録している。例えば、画像ＩＤが２００１の非日時順画像は、ＹＹ１．ｊｐｇというファイル名のファイルに記録されていおり、６月１２日の１４：０５に撮像されている。なお、これらの非日時順画像の記録順序はその撮像日時順ではない。
【００３７】
（ｃ）は、順序変更部５４０によって設定された画像の表示順序を示す。画像記録部５２０は、アルバムテンプレートに含まれる各々の画像枠について、当該画像枠の枠番号に対応付けて、その画像枠に表示すべく設定した画像の画像ＩＤを記録している。即ち本図の例では、画像ＩＤが１００１の画像、画像ＩＤが２００２の画像、画像ＩＤが１００２の画像、および、画像ＩＤが１００３の画像が順次この順に各画像枠に配列される。
【００３８】
図７は、テンプレート格納部５５０に格納されているテンプレートの一例を示す。（ａ）に示すように、アルバムテンプレートは、互いに大きさおよび配置が異なる複数の画像枠を有する。本図では、説明の都合上、各々の画像枠に重ねてその画像枠の枠番号を示す。このアルバムテンプレートは、画面上に収まるように解像度を調節して、または、元の解像度のまま、画像表示部５３０または印刷部５７０に出力されて表示／印刷される。更に、テンプレート格納部５５０は、複数のアルバムテンプレートを有していてもよく、画像表示部５３０または印刷部５７０は、これらのアルバムテンプレートの中から、使用者によって指定されたアルバムテンプレートを選択して使用してもよい。
【００３９】
（ｂ）は、テンプレート格納部５５０に格納されているアルバムテンプレートの属性情報を示す。テンプレート格納部５５０は、アルバムテンプレートに含まれる各々の画像枠について、その画像枠の枠番号と、その画像枠の大きさと、その画像枠の配置とを対応付けて記録している。ここで、日時順画像を単に枠番号順に配列したのでは、アルバム全体としての見栄えが悪くなってしまう場合がある。このため、好ましくは、順序変更部５４０は、画像枠の大きさまたは配置に基づいて、各々の日時順画像を配置すべき画像枠を決定する。
【００４０】
詳細には、第１に、順序変更部５４０は、ある日時順画像が左向きの被写体を捉えている場合には、右側ページに配置された画像枠を、その日時順画像を挿入すべき画像枠として決定する。第２に、順序変更部５４０は、ある日時順画像が右向きの被写体を捉えている場合には、左側ページに配置された画像枠を、その日時順画像を挿入すべき画像枠として決定する。
【００４１】
同様に、順序変更部５４０は、ある日時順画像が、被写体から離れて撮像した画像、または、ズームアウトして撮像した画像である場合には、ページ上方の画像枠を、その日時順画像を挿入すべき画像枠として決定する。また、順序変更部５４０は、ある日時順画像が、被写体に近づいて撮像した画像、または、ズームインして撮像した画像である場合には、ページ下方の画像枠を、その日時順画像を挿入すべき画像枠として決定する。
【００４２】
以上の処理は、順序変更部５４０が、非日時順画像を複数の日時順画像の中に挿入することで実現されてもよい。例えば、日時順画像を画像枠に順次割り当てた結果、ある画像枠が、その配置または大きさに不適な日時順画像に割り当てられた場合に、順序変更部５４０は、その画像枠に非日時順画像を挿入してもよい。これにより、日時順画像の表示順序を維持しつつ、見栄えのよいアルバムを作成することができる。
【００４３】
図８は、記録媒体２５のディレクトリ構成及びファイル構成の一例を示す。本実施形態に係る記録媒体２５は、撮像された複数の画像と、アルバム情報ファイルとのそれぞれを、別個のファイルとして記録媒体に記録させる規格に準拠している。この規格は、Ｐｉｃｔｕｒｅ  Ａｒｃｈｉｖｅ  Ａｎｄ  Ｓｈａｒｉｎｇ  Ｓｙｓｔｅｍ規格と呼ばれ、出願人を含む複数の同業事業者によって策定された統一規格である。具体的には、記録媒体２５は、ルートディレクトリの直下に、アセットディレクトリ８００、アルバムディレクトリ８３０、およびインデックスファイル８４０を格納している。アセットディレクトリ８００は、撮像された画像のデータを、複数のアセットロールディレクトリ（８１０ａ及び８１０ｂ。以降８１０として表記）に格納している。なお、本図において、アセットディレクトリ８００は、２つのアセットロールディレクトリ８１０を格納しているが、これに代えて、１つのみ、または３つ以上のアセットロールディレクトリ８１０を格納していてもよい。
【００４４】
アセットロールディレクトリ８１０ａは、複数の画像８１２ａ、アセット情報ファイル８１４ａ、及び表示用画像ディレクトリ８１６ａを格納している。また、アセットロールディレクトリ８１０ａは、更に、録音された音声を格納していてもよい。複数の画像８１２ａは、例えば、撮像装置２０によって撮像された静止画像や動画像であってよい。アセット情報ファイル８１４ａは、アセットロールディレクトリ８１０ａに格納されている複数の画像８１２ａのそれぞれへのパスを格納している。表示用画像ディレクトリ８１６ａは、アセットロールディレクトリ８１０ａの下位に位置すると共に、複数の表示用画像８１８ａを格納している。複数の表示用画像８１８ａは、複数の画像８１２に代えて表示される画像であり、例えば、複数の画像の解像度を下げることによって生成された画像であってよい。なお、アセットロールディレクトリ８１０ａは、表示用画像における解像度や縦横比等が異なる、複数の表示用画像ディレクトリを格納していてもよい。これにより、表示用画像を表示する場合に利用する表示装置や表示方法毎に解像度や縦横比が異なる場合であっても、当該表示装置や表示方法に適した、表示品質の高い画像を表示することができる。また、アセット情報ファイル８１４ａは、複数の表示用画像８１８ａのそれぞれへのパスを更に格納している。
【００４５】
アセットロールディレクトリ８１０ｂは、複数の画像８１２ｂ、アセット情報ファイル８１４ｂ、及び複数の表示用画像８１８ｂが格納されている表示用画像ディレクトリ８１６ｂを格納している。本例に示すように、記録媒体２５は、複数の画像を、複数のアセットロールディレクトリ８１０に分類して格納することができる。
【００４６】
アルバムディレクトリ８３０は、複数のアルバム情報ファイル８３２を格納している。アルバム情報ファイル８３２は、画像を分類したグループ毎に設けられる。そして、各々のアルバム情報ファイル８３２は、記録媒体２５に記録された複数の画像（８１２ａ及び８１２ｂ。以降８１２と表記）のうち、当該アルバム情報ファイルに対応するグループに含まれる画像の表示順序を定める。具体的には、アルバム情報ファイル８３２は、表示すべき画像へのパスを格納しているアセット情報ファイル（８１４ａ及び８１４ｂ。以降８１４と表記）へのパス、及び当該表示すべき画像のそれぞれを識別する画像識別子を、表示順序に従って格納していてよい。なお、この場合、アセット情報ファイル８１４は、複数の画像８１２のそれぞれへのパスと、当該画像を識別する画像識別子とを、対応付けて格納していてよい。
【００４７】
一例として、撮像装置２０によって作成されたアルバム情報ファイル８３２は、日時順画像を、その撮像日時順に表示すべき表示順序を格納している。そして、アルバム情報ファイル８３２は、非日時順画像を、その撮像日時順とは異なる所定の順序で表示すべき表示順序を格納している。例えば、アルバム情報ファイル８３２は、日時順画像の表示順序を定める一のファイルと、非日時順画像の表示順序を定める他のファイルとを含む。これに代えて、アルバム情報ファイル８３２は、日時順画像の表示順序のみを格納してもよい。この場合、非日時順画像の表示順序は、アルバム情報ファイル８３２によっては定められていなくてもよい。この場合、画像再生装置３０は、アルバム情報ファイル８３２によっては表示順序が定められていない全ての画像を、非日時順画像として取得してもよい。このような構成によれば、既に表示順序を定めた画像のみを指定したアルバム情報ファイル８３２のみが必要となるので、記録媒体２５の必要容量を節約することができる。
【００４８】
インデックスファイル８４０は、複数のアセット情報ファイル８１４のそれぞれへのパス、及び複数のアルバム情報ファイル８３２へのパスを格納している。なお、インデックスファイル８４０は、記録媒体２５毎に異なることのない、予め定められたパスに記録されている。具体的には、インデックスファイル８４０は、記録媒体２５のルートディレクトリの直下に、"ＰＡＳＳＩＤＸ．ＰＶＭ"というファイル名で記録されていてよい。
【００４９】
なお、本図に示したアセットディレクトリ８００、アセットロールディレクトリ８１０、複数の画像８１２、アセット情報ファイル８１４、表示用画像ディレクトリ（８１６ａ及び８１６ｂ。以降８１６と表記）、複数の表示用画像８１８、アルバムディレクトリ８３０、並びに複数のアルバム情報ファイル８３２の少なくとも一部は、例えば利用者等によって予め定められた記録媒体２５のフォーマットによって異なっていてよい。ここで、記録媒体２５のフォーマットとは、例えば、Ｆｕｊｉｃｏｌｏｒ（登録商標）ＣＤ、ＰｉｃｔｕｒｅＣＤ（登録商標）、及びＨｏｔＡｌｂｕｍ（登録商標）等であってよい。
なお、アセットロールディレクトリ８１０は、複数の記録媒体２５のそれぞれが有するアセットロールディレクトリ８１０のそれぞれを識別可能なディレクトリ名を有していてよい。また、同様にして、記録媒体２５に格納されている、複数の画像８１２、アセット情報ファイル８１４、表示用画像ディレクトリ８１６、複数の表示用画像８１８、アルバムディレクトリ８３０、及び複数のアルバム情報ファイル８３２の少なくとも一部も、複数の記録媒体２５のそれぞれが備えるそれぞれのファイル及びディレクトリを識別可能な名称を有していてよい。
【００５０】
図９は、撮像した画像が記録されて表示される処理の処理フローを示す。撮像部２１０は、被写体の画像を撮像する（Ｓ９００）。撮像する画像を日時順に表示することが選択されている場合に（Ｓ９１０：ＹＥＳ）、画像記録部２２０は、撮像されたその画像を日時順画像として記録する（Ｓ９２０）。一方で、撮像する画像を日時順に表示しないことが選択されている場合に（Ｓ９１０：ＮＯ）、画像記録部２２０は、撮像されたその画像を非日時順画像として記録する（Ｓ９３０）。画像表示部２３０は、画像記録部２２０に記録された日時順画像を指定された表示順序により表示する（Ｓ９４０）。例えば、順序変更部２４０によって表示順序が変更されていない場合には、画像表示部２３０は、日時順画像をその撮像日時順に表示する。
【００５１】
図１０は、画像の表示順序を変更する処理の処理フローを示す。日時順画像選択部３１０は、関連付けの対象となる日時順画像を、乱数生成部３００により発生された乱数、または、使用者からの指示に基づいて選択する（Ｓ１０００）。次に、非日時順画像選択部３２０は、関連付けの対象となる非日時順画像を、使用者からの指示に基づいて選択する（Ｓ１０１０）。関連付け部３３０は、選択された日時順画像および非日時順画像を互いに関連付ける（Ｓ１０２０）。
【００５２】
そして、順序変更部２４０は、複数の日時順画像、および、何れかの日時順画像に関連付けられた非日時順画像の表示順序を設定し、画像記録部２２０に記録する（Ｓ１０３０）。例えば、順序変更部２４０は、使用者により選択された非日時順画像を、画像表示部２３０に表示された日時順画像の前または後に表示させるべく、表示順序を変更してもよい。また、順序変更部２４０は、は、使用者により選択された非日時順画像を、画像表示部２３０に表示された日時順画像の少なくとも一部に重ねて表示させるべく、画像記録部２２０に記録した画像の表示順序および表示方法を変更してもよい。更に、アルバム情報ファイル記録部２５０は、これらの表示情報および表示方法等をアルバム情報ファイルに記録してもよい（Ｓ１０４０）。
【００５３】
図１１は、画像再生装置３０によってデジタルアルバムが生成される処理の処理フローを示す。日時順画像取得部５００は、日時順に表示することを選択して撮像された画像を日時順画像として取得する（Ｓ１１００）。非日時順画像取得部５１０は、日時順に表示しないことを選択して撮像された画像を非日時順画像として取得する（Ｓ１１１０）。画像表示部５３０は、日時順画像取得部５００により取得された複数の日時順画像を第１の表示領域に表示し、非日時順画像取得部５１０により取得された非日時順画像を第２の表示領域に表示する（Ｓ１１２０）。
【００５４】
順序変更部５４０は、使用者の指示に基づいて、日時順画像および非日時順画像の表示順序を変更する（Ｓ１１３０）。具体的には、順序変更部５４０は、第２の表示領域において使用者により選択された一の非日時順画像を、第１の表示領域において使用者により選択された一の日時順画像の前または後に表示させるようにこれらの画像の表示順序を変更する。更に、順序変更部５４０は、複数の日時順画像を、上述したアルバムテンプレートが有する複数の画像枠に日時順に配列してもよい。また、順序変更部５４０は、非日時順画像を挿入する画像枠を、その画像枠の配置および大きさの少なくとも１つに基づいて決定してもよい。
【００５５】
画像再生装置３０がアルバム作成指示を未だ入力していなければ（Ｓ１１４０：ＮＯ）、表示順序を変更した後の画像を更に表示すべくＳ１１２０に処理を戻す。一方で、画像再生装置３０がアルバム作成指示を入力した場合に（Ｓ１１４０：ＹＥＳ）、見開きページ生成部５６０は、複数の日時順画像および選択された非日時順画像を、順序変更部５４０により指定された表示順序に応じた順序でアルバムテンプレートの画像枠に配列してアルバムの見開きページを生成する（Ｓ１１５０）。印刷部５７０は、見開きページ生成部５６０により生成された見開きページを印刷する（Ｓ１１６０）。
【００５６】
以上、本実施例における撮像装置２０によれば、画像の撮像時に、日時順に表示すべき画像とそうでない画像とを区別して記録することで、画像の表示順序を再編集する作業負担を軽減して、画像編集の効率を向上することができる。更に、画像再生装置３０によれば、日時順に表示すべき画像とそうでない画像とを区別して取得することで、デジタルアルバムに挿入する画像を選択する作業負担を軽減すると共に、編集の効率を向上することができる。
【００５７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５８】
【図１】図１は、画像管理システム１０の全体構成を示す。
【図２】図２は、撮像装置２０の機能を機能ブロックに分類して示す。
【図３】図３は、順序変更部２４０の機能を機能ブロックに分類して示す。
【図４】図４は、画像表示部２３０に表示される、撮像者が画像の表示順序を編集している編集画面の例を示す。
【図５】図５は、画像再生装置３０の機能を機能ブロックに分類して示す。
【図６】図６は、画像記録部５２０のデータ構造の一例を示す。
【図７】図７は、テンプレート格納部５５０に格納されているテンプレートの一例を示す。
【図８】図８は、記録媒体２５のディレクトリ構成及びファイル構成の一例を示す。
【図９】図９は、撮像した画像が記録されて表示される処理の処理フローを示す。
【図１０】図１０は、画像の表示順序を変更する処理の処理フローを示す。
【図１１】図１１は、画像再生装置３０によってデジタルアルバムが生成される処理の処理フローを示す。
【符号の説明】
【００５９】
１０  画像管理システム
２０  撮像装置
２５  記録媒体
３０  画像再生装置
２００  選択部
２１０  撮像部
２２０  画像記録部
２３０  画像表示部
２４０  順序変更部
２５０  アルバム情報ファイル記録部
３００  乱数生成部
３１０  日時順画像選択部
３２０  非日時順画像選択部
３３０  関連付け部
５００  日時順画像取得部
５１０  非日時順画像取得部
５２０  画像記録部
５３０  画像表示部
５４０  順序変更部
５５０  テンプレート格納部
５６０  見開きページ生成部
５７０  印刷部
【図１】
2006333374.tif 000003
【図２】
2006333374.tif 000004
【図３】
2006333374.tif 000005
【図４】
2006333374.tif 000006
【図５】
2006333374.tif 000007
【図６】
2006333374.tif 000008
【図７】
2006333374.tif 000009
【図８】
2006333374.tif 000010
【図９】
2006333374.tif 000011
【図１０】
2006333374.tif 000012
【図１１】
2006333374.tif 000013